(57)【特許請求の範囲】
【請求項１】
マチ付き袋状体の製造方法において、
２枚重ねた熱可塑性樹脂フィルムの中央から一方を片面側シートとし、他方を半面側シートとし、該片面側シート同士をコ字状溶着部で溶着する第１の溶着工程と、
前記半面側シートの夫々をコ字状溶着部を形成した前記片面側シートに折り返す折り畳み工程と、
前記片面側シートが互いに面する両側の外縁辺を熱遮蔽する熱遮蔽工程と、
前記熱遮蔽工程の後、前記折り畳み工程によって折り返されて重ね合わされた前記半面側シートと前記片面側シートが互いに面する両側の該外縁辺の夫々を一括して熱溶着して外側縁溶着部を形成する第２の溶着工程とによって、前記第１と第２の溶着工程で溶着した前記片面側シートをマチとし前記半面側シートを夫々表面とするマチ付き袋状体を形成することを特徴とするマチ付き袋状体の製造方法。
【請求項２】
前記第１の溶着工程の前に、前記半面側シートの一方に前記マチ付き袋状体の開口部を覆うための蓋体を溶着するか、又は前記フィルムの一方にブックカバーのカバーシートを用い、前記第１の溶着工程、前記折り畳み工程、前記熱遮蔽工程、前記第２の溶着工程を行うことを特徴とする請求項１に記載のマチ付き袋状体の製造方法。
【請求項３】
前記半面側シートの一方に複数の打ち抜き孔を形成することを特徴とする請求項１に記載のマチ付き袋状体の製造方法。
【請求項４】
前記マチ付き袋状体を連設し収納部を複数設けたファイルとすることを特徴とする請求項１に記載のマチ付き袋状体の製造方法。
【請求項５】
２枚の熱可塑性樹脂フィルムによるマチ付き袋状体において、
前記両フィルムが中央より折り曲げられた片面側シートと半面側シートとからなり、該両片面側シート同士が対面しかつ該両半面側シートが前記マチ付き袋状体の表面側であって、対面する該両片面側シート同士がコ字状溶着部で接続され、前記両フィルムの同一フィルム同士である前記片面側シートの外側縁と前記半面側シートの外側縁とが外側縁溶着部で接続されて前記両片面側シートをマチ及び底部とするマチ付き袋状体であることを特徴とするマチ付き袋状体。
【請求項６】
前記マチ付き袋状体の開口部を覆う蓋体を前記半面側シートの何れか一方に設けるか、又は前記半面側シートの一方をブックカバーのカバーシートとしたことを特徴とする請求項５に記載のマチ付き袋状体。
【請求項７】
前記マチ付き袋状体の半面側シートの何れかに複数の打ち抜き孔を形成するか、または接着面とすることを特徴とする請求項５に記載のマチ付き袋状体。
【請求項８】
前記マチ付き袋状体を連設して収納部を複数設けたファイルとすることを特徴とする請求項５に記載のマチ付き袋状体。
【請求項９】
前記マチ付き袋状体の開口部近傍のフィルムに他のフィルムを積層するか、又は折り返し部を設けることを特徴とする請求項５に記載のマチ付き袋状体。
【発明の詳細な説明】
【技術分野】
【０００１】
本発明はマチ付き袋状体及びその製造方法に関し、このマチ付き袋状体はファイル、ブックカバーの冊子等の差込み用袋、手提げ袋、買い物袋、バッグ、ポーチ等の包袋状の種々の収納袋として利用することができる。
【背景技術】
【０００２】
マチ付き袋状体には小売店で使用される手提げ袋があり、図１２（ａ），（ｂ）に示すように、従来の手提げ袋１は熱可塑性高分子フィルムの中央の折り目から折り、折り目をフィルム内に折り込み、その両側縁部２を溶断シールによりヒートシールし、底部は表面側と折り込み側とを溶着して４５°でカットし、マチ部に斜縁部３を形成して手提げ袋としている。図１２（ｂ）は角形状に手提げ袋を開いた状態を示している（特許文献１参照）。
【０００３】
【特許文献１】特開平１−２０２４２９号公報（明細書全文，図面全図）
【発明の開示】
【発明が解決しようとする課題】
【０００４】
従来のマチ付き袋状体は熱可塑性高分子フィルムで形成されており、使い捨ての買い物用の手提げ袋に利用され、この種の袋状体は袋体の側面に明確なマチが形成されるものではなく、意匠性は好ましいものではない。また、この種の手提げ袋は、図１２（ｃ）に示すように、物を袋内に収納すると、底部が下方に突出して外見上、好ましい物ではない。このような下方への突出を防止するには手提げ袋の内底部にダンボール板などを敷いて補強し使用する必要があり、コスト高となる欠点があった。
【０００５】
また、この手提げ袋の製造方法によるマチ付き袋状体では、明確なマチが形成できないし、一回限りの使い捨て買い物袋以外の用途には不向きな製造方法であり、また、比較的厚みを有するフィルムでは底部の形成に問題があり、従来の製造方法では厚みのあるフィルム用いた袋物の製造方法には好ましくないし、また、意匠性が要求されるファイル、ブックカバーの差込み用袋、バッグ、ポーチ等の製造方法としては問題があり、簡便な製造工程で製造できる製造方法が望まれていた。
【０００６】
本発明は、上記のような課題に鑑みなされたものであって、比較的簡便な製造工程により袋状体にマチが形成でき、意匠性にも優れ、種々の袋物に展開できるマチ付き袋状体及びその製造方法を提供することを目的とする。
【課題を解決するための手段】
【０００７】
本発明は、上記課題を達成したものであって、請求項１の発明は、マチ付き袋状体の製造方法において、
２枚重ねた熱可塑性樹脂フィルムの中央から一方を片面側シートとし、他方を半面側シートとし、該片面側シート同士をコ字状溶着部で溶着する第１の溶着工程と、
前記半面側シートの夫々をコ字状溶着部を形成した前記片面側シートに折り返す折り畳み工程と、
前記片面側シートが互いに面する両側の外縁辺を熱遮蔽する熱遮蔽工程と、
前記熱遮蔽工程の後、前記折り畳み工程によって折り返されて重ね合わされた前記半面側シートと前記片面側シートが互いに面する両側の該外縁辺の夫々を一括して熱溶着して外側縁溶着部を形成する第２の溶着工程とによって、前記第１と第２の溶着工程で溶着した前記片面側シートをマチとし前記半面側シートを夫々表面とするマチ付き袋状体を形成することを特徴とするマチ付き袋状体の製造方法である。
【０００８】
また、請求項２の発明は、前記第１の溶着工程の前に、前記半面側シートの一方に前記マチ付き袋状体の開口部を覆うための蓋体を溶着するか、又は前記フィルムの一方にブックカバーのカバーシートを用い、前記第１の溶着工程、前記折り畳み工程、前記熱遮蔽工程、前記第２の溶着工程を行うことを特徴とする請求項１に記載のマチ付き袋状体の製造方法である。
【０００９】
また、請求項３の発明は、前記半面側シートの一方に複数の打ち抜き孔を形成することを特徴とする請求項１に記載のマチ付き袋状体の製造方法である。
【００１０】
また、請求項４の発明は、前記マチ付き袋状体を連設し収納部を複数設けたファイルとすることを特徴とする請求項１に記載のマチ付き袋状体の製造方法である。
【００１１】
また、請求項５の発明は、２枚の熱可塑性樹脂フィルムによるマチ付き袋状体において、
前記両フィルムが中央より折り曲げられた片面側シートと半面側シートとからなり、該両片面側シート同士が対面しかつ該両半面側シートが前記マチ付き袋状体の表面側であって、対面する該両片面側シート同士がコ字状溶着部で接続され、前記両フィルムの同一フィルム同士である前記片面側シートの外側縁と前記半面側シートの外側縁とが外側縁溶着部で接続されて前記両片面側シートをマチ及び底部とするマチ付き袋状体であることを特徴とするマチ付き袋状体である。
【００１２】
また、請求項６の発明は、前記マチ付き袋状体の開口部を覆う蓋体を前記半面側シートの何れか一方に設けるか、又は前記半面側シートの一方をブックカバーのカバーシートとしたことを特徴とする請求項５に記載のマチ付き袋状体である。
【００１３】
また、請求項７の発明は、前記マチ付き袋状体の半面側シートの何れかに複数の打ち抜き孔を形成するか、または接着面とすることを特徴とする請求項５に記載のマチ付き袋状体である。
【００１４】
また、請求項８の発明は、前記マチ付き袋状体を連設して収納部を複数設けたファイルとすることを特徴とする請求項５に記載のマチ付き袋状体である。
【００１５】
また、請求項９の発明は、前記マチ付き袋状体の開口部近傍のフィルムに他のフィルムを積層するか、又は折り返し部を設けることを特徴とする請求項５に記載のマチ付き袋状体である。
【発明の効果】
【００１６】
請求項１の発明では、マチ付き袋状体の製造方法において、２枚重ねた熱可塑性樹脂フィルムの中央から一方を片面側シートとし、他方を半面側シートとし、該片面側シート同士をコ字状溶着部で溶着する第１の溶着工程と、前記半面側シートの夫々をコ字状溶着部を形成した前記片面側シートに折り返す折り畳み工程と、前記片面側シートが互いに面する両側の外縁辺を熱遮蔽する熱遮蔽工程と、前記熱遮蔽工程の後、前記折り畳み工程によって折り返されて重ね合わされた前記半面側シートと前記片面側シートが互いに面する両側の該外縁辺の夫々を一括して熱溶着して外側縁溶着部を形成する第２の溶着工程とによって、前記第１と第２の溶着工程で溶着した前記片面側シートをマチとし前記半面側シートを夫々表面とするマチ付き袋状体を形成することを特徴とするマチ付き袋状体の製造方法であるので、二回の溶着工程でマチ付き袋状体の製造を製造することができるし、溶着後に裏返し工程を必要としないため自動化が容易である利点がある。また、コ字状溶着部の内シート部を溶着時に溶断することができ、マチ付き袋状体のコ字状溶着部の側縁片をマチとし、マチに連続する底部を梁状に形成し、梁状の底部により袋状体の底部の強度を高めることができるし、また、側縁片及び梁状の底部が袋内にリブ状に形成され、このマチと梁状底部が仕切りとして利用することができ、冊子状の資料等を仕分けして収納することができ、多様な収納形態を提供できる。即ち、このマチ付き袋状体は、ファイルや収納袋のみならず、蓋体を設けることによりバッグ、ポーチと言った意匠性が要求される袋物、或いは差込み用袋を有するブックカバーを簡単に製造できる利点がある。
【００１７】
また、請求項２の発明では、前記第１の溶着工程の前に、前記半面側シートの一方に前記マチ付き袋状体の開口部を覆うための蓋体を溶着するか、又は前記フィルムの一方にブックカバーのカバーシートを用い、前記第１の溶着工程、前記折り畳み工程、前記熱遮蔽工程、前記第２の溶着工程を行うことを特徴とする請求項１に記載のマチ付き袋状体の製造方法であるので、熱可塑性樹脂フィルムの一方に蓋体を設ければバッグやポーチを製造することができるし、また、熱可塑性樹脂フィルムの一方にカバーシートを用いることによって、マチ付き袋状体を設けたブックカバーを製造できることができ、この製造方法は種々用途に展開できる利点がある。
【００１８】
また、請求項３の発明では、前記半面側シートの一方に複数の打ち抜き孔を形成することを特徴とする請求項１に記載のマチ付き袋状体の製造方法であるので、書籍等の表紙の裏面にマチ付き袋状体を接着した際に糊が打ち抜き孔に入り込み強固に接着できる利点があり、既存の書籍、手帳、或いは冊子等に容易に付設することができる利点がある。
【００１９】
また、請求項４の発明では、前記マチ付き袋状体を連設し収納部を複数設けたファイルとすることを特徴とする請求項１に記載のマチ付き袋状体の製造方法であるので、複数のマチ付き袋状体からなるファイルの製造が容易である利点がある。
【００２０】
また、請求項５の発明では、２枚の熱可塑性樹脂フィルムによるマチ付き袋状体において、前記両フィルムが中央より折り曲げられた片面側シートと半面側シートとからなり、該両片面側シート同士が対面しかつ該両半面側シートが前記マチ付き袋状体の表面側であって、対面する該両片面側シート同士がコ字状溶着部で接続され、前記両フィルムの同一フィルム同士である前記片面側シートの外側縁と前記半面側シートの外側縁とが外側縁溶着部で接続されて前記両片面側シートをマチ及び底部とするマチ付き袋状体であることを特徴とするマチ付き袋状体であるので、コ字状溶着部の内シート部を溶着時に溶断することによって、マチ付き袋状体のコ字状溶着部の側縁片をマチとし、マチに連続する底部を梁状に形成することができ、梁状の底部により袋状体の底部の強度を高めることができるし、また、側縁片及び梁状の底部が袋内にリブ状に形成され、このマチと梁状底部が仕切りとして利用することができ、冊子状の資料等を仕分けして収納することができ、多様な収納形態を提供できる。即ち、このマチ付き袋状体は、ファイルや収納袋のみならず、蓋体を設けることによりバッグ、ポーチと言った意匠性が要求される袋物、或いは差込み用袋を有するブックカバーとして利用できる利点がある。
【００２１】
また、請求項６の発明では、前記マチ付き袋状体の開口部を覆う蓋体を前記半面側シートの何れか一方に設けるか、又は前記半面側シートの一方をブックカバーのカバーシートとしたことを特徴とする請求項５に記載のマチ付き袋状体であるので、一方に蓋体を設ければマチ付き袋状体を簡単にバッグやポーチをすることができるし、マチ付き袋状体をブックカバーに設けて利用できる利点がある。
【００２２】
また、請求項７の発明では、前記マチ付き袋状体の半面側シートの何れかに複数の打ち抜き孔を形成するか、または接着面とすることを特徴とする請求項５に記載のマチ付き袋状体であるので、既存の本や手帳等の冊子の見返し頁に接着剤を塗布し、打ち抜き孔側のシート面を貼付してマチ付き袋状体を付設することができ、接着層は打ち抜き孔に入り込みマチ付き袋状体を強固に貼付することができる利点がある。
【００２３】
また、請求項８の発明では、前記マチ付き袋状体を連設して収納部を複数設けたファイルとすることを特徴とする請求項５に記載のマチ付き袋状体であるので、冊子、資料を仕分けして整理する収納袋として利用することができる利点がある。
【００２４】
また、請求項９の発明では、前記マチ付き袋状体の開口部近傍のフィルムに他のフィルムを積層するか、又は折り返し部を設けることを特徴とする請求項５に記載のマチ付き袋状体であるので、袋の開口部側のフィルムの厚みを厚くすることができ、使い勝手が良く、またこの積層又は折り返し部に手提げ用穴を設けることができる利点がある。
【発明を実施するための最良の形態】
【００２５】
以下、本発明に係るマチ付き袋状体及びその製造方法の実施の形態について図面を参照し説明する。なお、図１〜図３は本発明のマチ付き袋状体の実施形態を示す斜視図であり、図１は長手方向の収納部を設けた袋状体であり、図２は一部切欠部を図に設けて示しており、袋状体の開口部側の端部に折り返部を設けた袋状体であり、図３は長手方向を収納口とした袋状体である。図４〜図６は本発明のマチ付き袋状体の製造方法の実施形態を示す図であり、図４（ａ）は平面図、同図（ｂ）は第１の溶着工程を示す斜視図である。図５（ａ）〜（ｃ）は第１の溶着工程後の折り畳み工程を示す図である。図６（ａ），（ｂ）は側縁辺の第２の溶着工程を示す斜視図である。図７（ａ），（ｂ）は夫々他の実施形態のマチ付き袋状体の斜視図である。図８（ａ），（ｂ）はブックカーバーにマチ付き袋状体を設けた実施形態の斜視図である。図９は蓋体にマチ付き袋状体を設けた実施形態を示す斜視図である。図１０はマチ付き袋状体を連設した実施形態を示す斜視図である。図１１はマチ付き袋状体を手提げ袋とした実施形態の斜視図である。
【００２６】
図１を参照し、本発明に係るマチ付き袋状体の実施形態について説明する。同図のマチ付き袋状体５は２枚の熱可塑性樹脂フィルム６，７から構成されており、フィルム６，７の夫々は中央より折り曲げられた片面側シートと半面側シート６ａ，７ａとからなり、片面側シート同士は互いに面し、コ字状溶着部８で溶着されて夫々が接続されている。フィルム６の片面側シートはコ字状溶着部８の外周部の両側縁片６ｂと両側縁片６ｂ間を接続する底縁片６ｃ、フィルム７の片面側シートはコ字状溶着部８の外周部の両側縁片７ｂと両側縁片７ｂ間を接続する底縁片７ｃからなり、夫々の片面側シートがコ字状を呈し、フィルム６，７の半面側シート６ａ，７ａがマチ付き袋状体の表面側となっている。
【００２７】
フィルム６の片面側シートは、両側縁片６ｂと底縁片６ｃとによるコ字状を呈し、同様に、フィルム７の片面側シートは、両側縁片７ｂと底縁片７ｃとによるコ字状を呈しており、フィルム６，７のコ字状の片面側シート同士が互いに向き合い、両側縁片６ｂの内縁辺６１  と両側縁片７ｂの内縁辺７１  、及び底縁片６ｃの内縁辺６２  と底縁片７ｃの内縁辺７２  が夫々溶着されてコ字状溶着部８を形成している。かつ、両側縁片６ｂの外縁辺６３  とフィルム６の半面側シート６ａの外側縁辺６３  、及び両側縁片７ｂの外縁辺７３  とフィルム７の半面側シート７ａの外側縁辺７３  とが互いに溶着されて外側縁溶着部９を形成し、コ字状溶着部８と外側縁溶着部９とにより両側縁片６ｂ，７ｂを接続してマチ１０を形成し、また、底縁片６ｃの内縁辺６２  と底縁片７ｃの内縁辺７２  とが夫々溶着され底縁片６ｃ，７ｃによる梁状の底部（以下、梁状底部と称する）１１が形成されている。マチ付き袋状体５は、フィルム６，７の半面側シート６ａ，７ａを表面とし、マチ１０と梁状底部１１とした収納部を有する。
【００２８】
図２の実施形態は、図１のマチ付き袋状体５と略同様の構成であって、マチ付き袋状体５の半面側シート６ａ，７ａの開口端側に折り返し部６ｆ，７ｆを設けたものであり、折り返し部６ｆ，７ｆの開口端側に設けることによって、半面側シート６ａ，７ａの収納口に厚みが与えられて強度が高められるとともに、厚みによる手触りが改善され収納口の開口が容易となる。また、折り返し部６ｆ，７ｆは半面側シート６ａ，７ａの端縁部にフィルム片を積層した構成であってもよい。また、図１，図２の実施形態では、マチ付き袋状体の収納部が長手方向に形成されているのに対し、図３の実施形態では、収納口が長手方向になるように、フィルム６，７の半面側シート６ａ，７ａを表面とし、マチ１０と梁状底部１１とによる収納部が形成されたマチ付き袋状体５である。
【００２９】
次に、本発明におけるマチ付き袋状体５の製造方法の実施形態について、図４〜図６を参照して説明する。図４（ａ）に示すように、２枚重ねた熱可塑性樹脂フィルム６，７を用意し溶着機に送り出す。なお、連続生産可能なように、ロールに巻回された幅広の熱可塑性樹脂フィルムを２枚重ねて順次送り出すようにしてもよいし、幅広の熱可塑性樹脂フィルムを折り重ねて順次送り出すようにしてもよい。また、図４（ａ）は、次工程で行う溶着工程で行うコ字状溶着部８を熱可塑性樹脂フィルム６，７に一点鎖線で示し、折り曲げ部６ｅ，７ｅを二点鎖線で示している。図４（ｂ）は溶着工程或いは溶着切断工程を示し、２枚重ねた熱可塑性樹脂フィルム６，７を溶着機に送り、コ字状に設けた切断刃と溶着ヘッドにより、重ねたフィルム６，７の中央より片面側シートをコ字状に溶着切断し、フィルム６，７の図４（ａ）に図示したコ字状溶着部８内の内周縁部６ｄ，７ｄを片面側シートから切断し、フィルム６，７の中央より片面側シートにコ字状を形成する。この溶着工程において、コ字状のコ字状溶着部８が側縁部６ｂ，７ｂの内縁辺６１  ，７１  及び底縁部６ｃ，７ｃの内縁辺６２  ，７２  を溶着することにより形成される。フィルム６，７の片面側シートが側縁片６ｂ ，７ｂの内縁辺６２  ，７２  で溶着されて接続される。なお、コ字状とは、片面側シートが側縁部６ｂ，７ｂと側縁部６ｂ，７ｂ端間の底縁部６ｃ，７ｃの形状を表している。また、用途によってはコ字状溶着部８内の内周縁部６ｄ，７ｄを切り離すことなく、溶着のみとしてもよい。
【００３０】
続いて、上記溶着工程の後、図５の折り畳み工程に進む。折り畳み工程では、図５（ａ）に示すように、コ字状溶着部８で溶着したフィルム６，７の中央より半面側シート６ａ，７ａを、矢印Ｙで示すように開いて折り返し、フィルム６，７の中央よりコ字状溶着部８を形成した片面側シートに折り畳んで重ねる（図５（ｂ），（ｃ）））。折り畳み工程に続いて、図６（ａ），（ｂ）に示す外側縁溶着部９の溶着工程に進む。図６（ａ）は、フィルム６，７の半面側シート６ａ，７ａが片面側シートの外縁辺６３  ，７３  の夫々と溶着されて外側縁溶着部９が形成される。この溶着工程を行う前に熱遮蔽工程が行われる。熱遮蔽工程は、フィルム６のコ字状シートの外縁辺６３  とフィルム７のコ字状シートの外縁辺７３  との間に熱遮蔽板１２を差し込む工程であり、その後、溶着工程に進み、溶着ヘッドを矢印Aで示すようにフィルム６，７を押圧し、図６（ｂ）に示すように、フィルム６の反面側シート６ａと片面側シートの外縁辺６３  、及びフィルム７の半面側シート７ａと片面側シートの外縁辺７３  を溶着し、マチ付き袋状体５の両側の外側縁溶着部９を夫々形成する。この溶着工程を経て、フィルム６，７の半面側シート６ａ，７ａを表面とし、片面側シートの側縁片６ｂ，７ｂをマチ１０とし、底縁片６ｃ，７ｃを梁状底部１１とする収納部を形成したマチ付き袋状体５が形成される。
【００３１】
本実施形態のマチ付き袋状体５は、図７〜図１１の種々の形態とすることができる。図７（ａ）のマチ付き袋状体５１ は、フィルム６の半面側シート６ａに複数の打ち抜き孔１２を形成したものであり、フィルム７の半面側シート７ａには打ち抜き孔１２は形成されていない。また、コ字状の片面側シートの側縁部をマチ１０とし、片面側シートの底縁部を梁状底部１１とした収納部を形成することは、上記実施形態と同様である。図７（ａ）では、マチ付き袋状体５１ の打ち抜き孔１２を形成した半面側シート６ａを、書籍や冊子等の表紙の裏面側または見返し頁に差し込んで見返し頁に貼付した接着剤に接着してマチ付き袋状体５１ を書籍や冊子等に設けて使用する。
【００３２】
また、図７（ｂ）のマチ付き袋状体５２  は、フィルム７の半面側シート７ａに接着剤を塗工し、この塗工面に剥離紙１３を貼付したものであり、剥離紙１３を剥がして半面側シート７ａの接着塗工面を露呈し、図７（ａ）のマチ付き袋状体５１  と同様に、書籍や冊子等の表紙の裏面側または見返し頁にこの塗工面を貼付することによって、既存の書籍や表紙差込部１４冊子等にマチ付き袋状体５２  を設けて使用する。
【００３３】
また、図８（ａ），（ｂ）のブックカバー１４は、カバーシート１４ａの両側を折り曲げて溶着した表紙差込部１４ｂの一方にマチ付き袋状体５３  または５４  を設けたものであり、カバーシート１４ａと表紙差込部１４ｂとの間に冊子等の表紙が差し込まれる。図８（ａ）では、マチ付き袋状体５３  の一方が表紙差込部１４ｂを兼ねるとともに表紙差込部１４ｂが半面側シート７ａに相当する。上述と同様な製造方法によって、予めカバーシート１４ａの一端縁を表紙差込部１４ｂとする部分にマチ付き袋状体５３  をコ字状溶着部８で一体に形成し、その後、マチ付き袋状体５３  が設けた部分をカバーシート１４ａに折り曲げて重さね、表紙差込部１４ｂと半面側シート６ａとの夫々の両側縁の間に熱遮蔽板を挟んで両側縁を溶着して外側縁溶着部９を形成し、マチ付き袋状体５３  を備えるブックカバー１４を形成する。また、表紙差込部１４ｂとマチ付き袋状体５３  と一体に形成する際に、図８（ａ）のように、浅く切り込んでもよいし、コ字状溶着部８を上記実施形態のように深く切り込まれるように形成してもよい。この場合、表紙差込部１４ｂと片面側シート６ｂとの間に新たに小収納部１５が形成される。小収納部１５はシート状の印刷物や写真などを収納するのに便利である。また、図８（ｂ）のブックカバー１４は、コ字状溶着部８の内側シート部を切除することなく残し、図８（ａ）の小収納部１５より深い小収納部１５を形成したものである。
【００３４】
図９はマチ付き袋状体５４  ，５５  の収納口を同一方向に向けて２個連設した収納部を形成し、この収納部にマジックテープ１５ｂを設けた蓋体１５ａを設け、蓋体１５ａにより収納口を開閉自在としたバッグ１５である。また、マチ付き袋状体は複数個を連設したものであってもよい。バッグ１５の底部は、マチ付き袋状体５４  ，５５  の梁状底部１１が設けられており、底部には梁状底部１１により強度が与えられ、収納物により底部が下方に膨らむといったことがない。また、図１０のように、図９のように蓋体１５ａを設けることなく、複数のマチ付き袋状体５を収納口を同一方向に向けて連設しファイルとして利用することも可能である。さらに、図１１は図２のマチ付き袋状体５を手提げ袋１６としたものであり、図２のマチ付き袋状体５の折り返し部６ｆ，７ｆに手提げ用の開口孔１６ａを設けたものである。
【産業上の利用可能性】
【００３５】
本発明の活用例としては、マチ付き袋状体を、ファイル、ブックカバーの冊子等の差込み用袋、手提げ袋、買い物袋、バッグ、ポーチ等の包袋状の種々の収納袋として活用することができる。
【図面の簡単な説明】
【００３６】
【図１】本発明のマチ付き袋状体の一実施形態を示す斜視図である。
【図２】本実施形態の他の形態を示す斜視図である。
【図３】本実施形態の他の形態を示す斜視図である。
【図４】図１のマチ付き袋状体の製造方法の一実施形態の一工程を示し、（ａ）は平面図、（ｂ）は第１の溶着工程を示す斜視図である。
【図５】（ａ）〜（ｃ）は図４の溶着工程に続く、折り返し工程を示す図である。
【図６】（ａ），（ｂ）は図５の折り返し工程に続く、第２の溶着工程を示す斜視図である。
【図７】（ａ），（ｂ）は夫々他の実施形態のマチ付き袋状体の斜視図である。
【図８】（ａ），（ｂ）はブックカーバーにマチ付き袋状体を設けた実施形態の斜視図である。
【図９】マチ付き袋状体をバッグとした実施形態を示す斜視図である。
【図１０】マチ付き袋状体を連設してファイルとした実施形態を示す斜視図である。
【図１１】マチ付き袋状体を手提げ袋とした実施形態の斜視図である。
【図１２】（ａ）〜（ｃ）は、従来のマチ付き袋状体である手提げ袋を示した斜視図である。
【符号の説明】
【００３７】
５  マチ付き袋状体
６，７  熱可塑性樹脂フィルム
６ａ，７ａ  半面側シート
６ｂ，７ｂ  側縁片
６ｃ，７ｃ  底縁片
６１  ，６２  ，７１  ，７２    内縁辺
６３  ，７３    外縁辺
８  コ状溶着部
９  外側縁溶着部
１０  マチ
１１  梁状の底部（梁状底部）
１２  打ち抜き孔
１３  剥離紙
１４  ブックカバー
１５  バッグ
１５ａ  蓋体
１５ｂ  マジックテープ
１６  手提げ袋
１６ａ  開口孔
【図１】
0005280103.tif 000002
【図２】
0005280103.tif 000003
【図３】
0005280103.tif 000004
【図４】
0005280103.tif 000005
【図５】
0005280103.tif 000006
【図６】
0005280103.tif 000007
【図７】
0005280103.tif 000008
【図８】
0005280103.tif 000009
【図９】
0005280103.tif 000010
【図１０】
0005280103.tif 000011
【図１１】
0005280103.tif 000012
【図１２】
0005280103.tif 000013